(57)【要約】  【課題】  ユーザのコスト面における負担を軽減し、シリンジ使用時における作業性の低下を招くことなく、ルアースリップタイプおよびルアーロックタイプの両接続タイプでポートに対して接続が可能な接続具付シリンジおよび接続具を提供する。  【解決手段】  ロックナット２０を螺合させながらシリンジ接続部１２におけるｘ方向の左側へと移動させるとき、シリンジ接続部１２は、スリット１３が狭まる方向、即ち花弁状部材である底部材１２１、１２２の間隙が狭まる方向にロックナット２０からの拘束力を受け、ハの字状に開いていたシリンジ接続部１２は、略筒状まで変形作用を受けることになる。  このように、コネクタ１は、ロックナット２０の締め付け、開放するという操作だけで、その底壁に設けられた孔１２１ｈ、１２２ｈが開閉する、という機構を備えている。  【選択図】  図１
2005296141.tif 000002
【特許請求の範囲】
【請求項１】
ポートにシリンジを拘止するための接続具が、シリンジ本体から突設されたルアー部に取り付けられてなる接続具付シリンジであって、
前記ルアー部には、前記接続具と係合するための係合部が形成され、
前記接続具は、有底筒状の本体部と、前記本体部の外周に環装され前記本体部の軸方向への移動により前記本体部の底部に対して拘束作用を及ぼす拘束部とからなり、
前記本体部の底部が、開き勝手な複数の花弁状部材からなり、
前記底部が拘束部から拘束作用を受けて前記花弁状部材が閉じた第１の状態にあるとき、前記ルアー部における係合部を前記花弁状部材で軸方向に係合し、
前記底部が拘束部から拘束作用を受けず前記花弁状部材が開いた第２の状態にあるとき、前記花弁状部材の開放によって前記底部の略中央部に生じる透孔を通じて軸方向に前記ルアー部を挿抜自在とする
ことを特徴とする接続具付シリンジ。
【請求項２】
前記接続具において、
前記拘束部は、内周面にネジが設けられてなるナットであり、
前記本体部は、略円筒形状を有し、筒部の外周面における前記拘束部の移動領域に前記ナットに対応するネジが設けられており、前記第１の状態のときに前記筒部のネジが設けられてなる領域が円筒状に閉じた状態であり、前記第２の状態のときに前記筒部のネジが設けられてなる領域が軸方向の前記底部に向けてハの字状に開いた状態である
ことを特徴とする請求項１に記載の接続具付シリンジ。
【請求項３】
前記ルアー部は、その根元側に縮径された部分を有し、前記係合部は、当該縮径により生じる段差である
ことを特徴とする請求項２に記載の接続具付シリンジ。
【請求項４】
シリンジ本体から突設されたルアー部に取り付けられ、ポートにシリンジを拘止するための接続具であって、
有底筒状の本体部と、前記本体部の外周に環装され前記本体部の軸方向への移動により前記本体部の底部に対して拘束作用を及ぼす拘束部とを有し、
前記本体部の底部が、開き勝手な複数の花弁状部材からなり、
前記底部が拘束部から拘束作用を受けて前記花弁状部材が閉じた第１の状態にあるとき、前記花弁状部材で前記シリンジの軸方向に前記ルアー部を係合し、
前記底部が拘束部から拘束作用を受けず前記花弁状部材が開いた第２の状態にあるとき、前記花弁状部材の開放によって前記底部の略中央に生じる透孔を通じて前記ルアー部を挿抜自在とする
ことを特徴とする接続具。
【請求項５】
前記拘束部は、内周面にネジが設けられてなるナットであり、
前記本体部は、略円筒形状を有し、筒部の外周面における前記拘束部の移動領域に前記ナットに対応するネジが設けられており、前記第１の状態のときに前記筒部のネジが設けられてなる領域が円筒状に閉じた状態であり、前記第２の状態のときに前記筒部のネジが設けられてなる領域が軸方向の前記底部に向けてハの字状に開いた状態である
ことを特徴とする請求項４に記載の接続具。
【請求項６】
請求項１から３の何れかに記載の接続具付シリンジを用いることを特徴とする治療および診断に係る処置方法。
【発明の詳細な説明】
【技術分野】
【０００１】
本発明は、接続具付シリンジおよび接続具に関する。
【背景技術】
【０００２】
シリンジは、医療の現場において、注射針をはじめとする種々の器具に対して接続して用いられる。そして、シリンジと器具におけるポートとの接続形態には、大きく分けてルアースリップタイプとルアーロックタイプとの２種類が存在する。
ルアースリップタイプは、シリンジの先端に形成された、先細りテーパ状のルアー部を、切込みの入った弁膜を有するポートに対して、挿入することでシリンジと器具とを接続するものであって、素早い着脱が可能であるという優位性を有している。対して、ルアーロックタイプは、シリンジの先端におけるルアー部の外側を取り囲むように雌ネジを有するコネクタ（ロックナット）を装着しておき、このコネクタをポートの外周部に形成されたネジに螺合させることでシリンジをポートに対して拘止するものであって、長期にわたって確実な接続が可能であるという優位性を有している。
【０００３】
ところで、医療の現場においては、拘止しようとするポートとの関係から、例えば、同じ機能を有するシリンジにおいても、コネクタを有するか否かの違いだけで２種類のものを用意しておく必要が生じる。このような効率の悪さを解消するために、例えば、コネクタをルアー部に対して移動可能に形成しておき、必要なときだけコネクタを使用してルアーロックタイプの接続を行い、不要なときにはルアー部に対してコネクタを退避させることでルアースリップタイプの接続を行うことができる医療器具も開発されている（特許文献１参照。）。
【特許文献１】特開平７−１４８２７１号公報
【発明の開示】
【発明が解決しようとする課題】
【０００４】
ところが、上記特許文献１の技術を適用したシリンジでは、器具に対する汎用性を高めることは可能ではあるが、コネクタを本体から脱離させることができないので、あるシリンジで使用したコネクタを取り外して、他のシリンジに対して転用することはできない。即ち、このシリンジでは、ユーザに対してコスト面における負担を強いるという問題を有する。また、このシリンジでは、ルアースリップタイプでポートに接続するために、コネクタが退避可能なようにルアー部を通常より長く形成しておく必要があり、強度の低下などによる作業性の低下、あるいは、シリンジ本体の容量減少などという問題を生じる。
【０００５】
本発明は、このような課題を解決しようとなされたものであって、コスト面におけるユーザの負担を軽減し、シリンジ使用時における作業性の低下を招くことなく、ルアースリップタイプおよびルアーロックタイプの両接続タイプでポートに対して接続が可能な接続具付シリンジおよび接続具を提供することを目的とする。
【課題を解決するための手段】
【０００６】
上記目的を達成するために、
（１）  本発明は、ポートにシリンジを拘止するための接続具が、シリンジ本体から突設されたルアー部に取り付けられてなる接続具付シリンジであって、ルアー部には、接続具と係合するための係合部が形成され、接続具は、有底筒状の本体部と、本体部の外周に環装され本体部の軸方向への移動により本体部の底部に対して拘束作用を及ぼす拘束部とからなり、本体部の底部が、開き勝手な複数の花弁状部材からなり、底部が拘束部から拘束作用を受けて花弁状部材が閉じた第１の状態にあるとき、ルアー部における係合部を花弁状部材が軸方向に係合し、底部が拘束部から拘束作用を受けず花弁状部材が開いた第２の状態にあるとき、花弁状部材の開放によって底部の略中央部に生じる透孔を通じてルアー部を軸方向に挿抜自在とすることを特徴とする。
【０００７】
また、
（２）  本発明は、上記（１）の接続具付シリンジにおいて、接続具の拘束部は、内周面にネジが設けられてなるナットであり、本体部は、略円筒形状を有し、筒部の外周面における拘束部の移動領域に上記ナットに対応するネジが設けられており、第１の状態のときに筒部のネジが設けられてなる領域が円筒状に閉じた状態であり、第２の状態のときに筒部のネジが設けられてなる領域が軸方向の底部に向けてハの字状に開いた状態であることを特徴とする。
【０００８】
また、
（３）  本発明は、上記（２）の接続具付シリンジにおいて、ルアー部は、その根元側に縮径された部分を有し、係合部は縮径によって生じる段差であることを特徴とする。
さらに、
（４）  本発明は、シリンジ本体から突設されたルアー部に取り付けられ、ポートにシリンジを拘止するための接続具であって、有底筒状の本体部と、前記本体部の外周に環装され本体部の軸方向への移動により本体部の底部に対して拘束作用を及ぼす拘束部とを有し、本体部の底部が、開き勝手な複数の花弁状部材からなり、底部が拘束部から拘束作用を受けて花弁状部材が閉じた第１の状態にあるとき、花弁状部材で前記シリンジの軸方向にルアー部を係合し、底部が拘束部から拘束作用を受けず花弁状部材が開いた第２の状態にあるとき、花弁状部材の開放によって底部の略中央に生じる透孔を通じて前記ルアー部を挿抜自在とすることを特徴とする。
【０００９】
また、
（５）  本発明は、上記（４）の接続具において、拘束部は、内周面にネジが設けられてなるナットであり、本体部は、略円筒形状を有し、筒部の外周面における拘束部の移動領域にナットに対応するネジが設けられており、第１の状態のときに筒部のネジが設けられてなる領域が円筒状に閉じた状態であり、第２の状態のときに筒部のネジが設けられてなる領域が軸方向の底部に向けてハの字状に開いた状態であることを特徴とする。
【００１０】
また、
（６）  本発明は、治療および診断に係る処置方法において、上記（１）〜（３）の接続具付シリンジを用いることを特徴とする。
【発明の効果】
【００１１】
本発明に係る接続具付シリンジでは、接続具を第１の状態と第２の状態との間で容易に状態変化を実施できる。よって、この接続具付シリンジは、シリンジのルアー部を底部における花弁状部材と係合状態とすることも、底部の透孔を通じて挿抜自在な状態とすることもできる。即ち、この接続具付シリンジでは、拘止しようとするポートの接続形態に応じて、ルアーロックタイプおよびルアースリップタイプの両接続タイプを選択して用いることが可能である。
【００１２】
従って、本発明に係る接続具付シリンジは、拘止対象であるポートの接続タイプに応じて接続具を着脱することが自在であり、取り外した接続具を別のシリンジに転用することもできることから、コスト面におけるユーザの負担を軽減し、且つ、シリンジ使用時における作業性の低下を招くことがないとともに、ルアースリップタイプおよびルアーロックタイプの両接続タイプでポートに対し接続可能であって、ポートへの接続時に高い汎用性を有する。
【００１３】
また、本発明に係る接続具は、上記接続具付シリンジにおけるルアー部に取り付けられた接続具と同一の構成を有することを特徴とするので、上記同様の優位性を有する。
従って、本発明に係る接続具を用いれば、ポートに対して拘止する際のシリンジの汎用性を高めるのに有効である。
【発明を実施するための最良の形態】
【００１４】
（コネクタ１の構成）
本発明の実施の形態に係る接続具であるコネクタ１の構成について、図１を用いて説明する。
コネクタ１は、後述のシリンジ５をポート６１に対し拘止するものであり（図３参照。）、図１（ａ）に示すように、本体部としてのコネクタ本体１０と、コネクタ本体１０の形状を拘束する拘束部としてのロックナット２０とから構成されている。図１（ａ）におけるコネクタ１では、コネクタ本体１０がロックナット２０からの拘束作用を受けていない状態を示している。
【００１５】
コネクタ１を構成する要素の内、コネクタ本体１０は、略有底円筒形状を有し、ポート接続部１１とシリンジ接続部１２とが一体形成され構成されている。  ポート接続部１１は、略有底円筒状をしたコネクタ本体１０の開口側の部分にあり、筒内壁には、器具との接続のための雄ネジ１１ａが形成されている。また、筒外壁には、ストレート目のローレット加工が施されており、器具へのコネクタ１の接続操作時に滑り難くなっている。
【００１６】
コネクタ本体１０におけるシリンジ接続部１２は、筒の底面およびその近傍の側壁部分に設けられており、スリット１３によって筒底が上底部材１２１と下底部材１２２というように、図中のｙ方向の上下に二分されている。二分された底部材１２１、１２２は、ロックナット２０からコネクタ本体部１０への拘束力に応じてその間のスリット１３が開閉されるように構成されている。シリンジ接続部１２における筒外壁には、スリット１３を跨いで一続きとなる雌ネジ１２ａが形成されている。
【００１７】
図１（ｂ）に示すように、スリット１３によってｙ方向の上下に二分された上下底部材１２１、１２２は、各々が花弁状の形状を有する部材であり、ロックナット２０からの拘束作用を受けていないときには図のｙ方向に開き勝手となっている。そして各々の底部材１２１、１２２には、半円状の切り欠き１２１ｈ、１２２ｈが形成されている。切り欠き１２１ｈ、１２２ｈにおける弦に当たる部分は、スリット１３を臨む縁辺の延長線にあたる。図１（ｂ）の状態では、切り欠き１２１ｈと切り欠き１２２ｈとは、間に間隙を挟んで対向しており、長円を形成している。ここで、切り欠き１２１ｈの縁辺と切り欠き１２２ｈの縁辺との内接円１２ｈを仮定するとき、この内接円１２ｈの直径は、φＤ0である。
【００１８】
図１（ａ）に戻って、ロックナット２０は、コネクタ本体１０におけるシリンジ接続部１２の外周に環装されており、図の拡大部分に示すように、内周壁に雄ネジ２１が形成されている。この雄ネジ２１は、コネクタ本体１０におけるシリンジ接続部１２の筒外壁に形成された雌ネジ１２ａと螺合するようになっている。また、ロックナット２０の外周壁には、上記ポート接続部１１の筒外壁と同様の滑り止めのローレット加工が施されている。図のようにロックナット２０がシリンジ接続部１２のｘ方向右側に位置するときには、シリンジ接続部１２は、底壁の側に向けてハの字状に開いた状態となっている。これによって、切り欠き１２１ｈと切り欠き１２２ｈとは、上述のように、長円を形成することになる。
（コネクタ１における状態可変機構）
次に、上記構成を有するコネクタ１における状態可変機構について、説明する。
【００１９】
図１（ａ）においては、ロックナット２０がコネクタ本体１０のシリンジ接続部１２におけるｘ方向の最も右側に配されている。このとき、ロックナット２０からは、シリンジ接続部１２に対しての拘束力は作用していない。
図１（ａ）の状態から、ロックナット２０を螺合させながらシリンジ接続部１２におけるｘ方向の左側へと移動させるとき、シリンジ接続部１２は、スリット１３が狭まる方向、即ち花弁状部材である底部材１２１と底部材１２２との間の間隙が狭まる方向にロックナット２０からの拘束力を受け、ロックナット２０が略底壁近傍にまで移動したとき、ハの字状に開いていたシリンジ接続部１２は、略筒状まで変形作用を受けることになる。これに伴い、切り欠き１２１ｈと切り欠き１２２ｈとの間隔が狭まり、内接円１２ｈの径もこれに伴い上記径φＤ0よりも小さくなる。
【００２０】
なお、着脱を繰り返すことを考慮するとき、コネクタ本体１０は、弾性特性を有する材料（例えば、樹脂材料。）からなることが望ましい。よって、シリンジ接続部１２は、ロックナット２０からの拘束力を受けて変形するが、その変形は、コネクタ本体１０を構成する材料が有する弾性域内でのものであり、ロックナット２０の拘束力から開放された際には、図１（ａ）、（ｂ）の状態へと回復し、変形が残ることはない。
【００２１】
このように、コネクタ１は、ロックナット２０の締め付け、開放するという操作だけで、その底部材１２１、１２２に設けられた切り欠き１２１ｈ、１２２ｈの間隔が広がったり、狭まったりするという機構を備えている。この機構は、可逆的なものであって、繰り返しの操作が可能である。
（シリンジ５の構成）
シリンジ５の概略構成について、図２を用いて説明する。
【００２２】
図２（ａ）にその一部分を示すシリンジ５は、プレフィルドタイプのシリンジであって、シリンジ本体５２の右側端部にルアー部５１が突設されている。ルアー部５１の根元側には、縮径された首部５３が形成されている。また、図示はしていないが、シリンジ５には、プランジャおよびパッキンなどを備え、シリンジ本体５２の筒内方に薬液が充填されている。
【００２３】
シリンジ５を構成する部分の内、ルアー部５１は、先細りのテーパー状をしており、その最大外径がφＤ1である。この外径φＤ1は、上記図１の開放状態のコネクタ１における内接円１２ｈの径Ｄ0よりも小さい関係を有している（φＤ1＜φＤ0）。そして、上述のように、このルアー部５１の根元側における首部５３は、上記径φＤ1よりも縮径された円筒形をしている。
【００２４】
ルアー部５１における首部５３の先端よりの部分には、段差がついた状態となっており、係合部としての係り部５１ａが形成された状態となっている。
（シリンジ５とコネクタ１との接続）
上記シリンジ５とコネクタ１との接続について、引き続き図２を用いて説明する。
図２（ａ）に示すように、コネクタ１におけるロックナット２０をシリンジ接続部１２における最もポート接続部１１に近い側まで後退させておき、上記図１と同様に、コネクタ本体１０がロックナット２０から径方向に拘束力を受けていない状態としておく。そして、この状態のコネクタ１の切り欠き１２１ｈの縁辺と切り欠き１２２ｈの縁辺とで形成される内接円１２ｈ（図２では、不図示。）に対して、シリンジ５のルアー部５１を浸入させてゆく（矢印Ｂ）。このとき、上述のように、ルアー部５１の最大外形φＤ1と内接円１２ｈの径φＤ0は、φＤ1＜φＤ0関係を有しているので、ルアー部５１をスムースに侵入させることができる。
【００２５】
コネクタ１へのルアー部５１の侵入操作については、コネクタ１における内底面１２３が首部５３の部分に達する状態で終える。そして、シリンジ５とコネクタ１との径方向中心を略同一に維持しておき、コネクタ１のロックナット２０を雌ネジ１２ａに沿って回転させながら、図の左側に向って移動させて行く。ロックナット２０がコネクタ本体１０の略左端部分にまで達したところで移動操作を終了する。
【００２６】
なお、シリンジ接続部１２の筒外壁における雌ネジ１２ａの形成は、底壁１２１、１２２（図１参照。）で止められており、ロックナット２０がその部分で止まるようになっている。
図２（ｂ）に示すように、ロックナット２０をシリンジ接続部１２の最も左端まで移動された状態では、上記図２（ａ）のようにハの字状に開いていたシリンジ接続部１２はロックナット２０からの拘束力を受けて閉じ、略円筒状となる。これに伴って、孔１２１ｈと孔１２２ｈとの間隔は狭まり、内接円１２ｈの径は、小さくなる。そして、図２（ｂ）の状態では、切り欠き１２１ｈ、１２２ｈをもって形成される略円形となる。そして、このときのコネクタ１における切り欠き１２１ｈ、１２２ｈで形成される内接円の直径は、φＤ2となる。直径φＤ1と直径φＤ2との関係は、φＤ2＜φＤ1である。即ち、図２（ｂ）の状態では、コネクタ１の内底面１２３とシリンジ５の係り部５１ａとが係合しており、コネクタ１に対してシリンジ５が拘止されている。
【００２７】
なお、図２（ｂ）では、コネクタ１における切り欠き１２１ｈ、１２２ｈとで形成される透孔の直径φＤ2がシリンジ５の首部５３の外径よりも若干大きく、その間に隙間を有するように設定しているが、この隙間はなくても構わない。
以上のように、コネクタ１は、ロックナット２０の操作だけで、シリンジ５に対して着脱自在の構成を有している。ここで、コネクタ１については、シリンジ５の付帯部品としてユーザに供するものであってもよいし、それ単独でユーザに供するものであってもよい。
【００２８】
なお、図２（ｂ）のコネクタ１が取り付けられた状態から、図２（ａ）のコネクタ１が脱離された状態へとする場合には、上述のコネクタ１を接続する場合と逆の手順で操作すればよい。
（ルアーロックタイプでのポートとの接続）
コネクタ１を接続した状態のシリンジ５を用い、シリンジ５を医療器具におけるポートに対してルアーロックタイプで接続するための方法について、図３を用いて説明する。図３では、シリンジ５をルアーロックタイプで接続する対象として、ポート付きの延長チューブ６を一例として用いている。
【００２９】
図３に示すように、接続対象である延長チューブ６は、ポート６１がチューブ６２の一端側に設けられた構成を有している。ポート６１は、その筒外壁に雌ネジ６１ａが設けられている。この雌ネジ６１ａは、コネクタ１における雄ネジ１１ａ（図３では、不図示。図１、２を参照。）に対応（螺合）するものである。
また、ポート６１の端面には、その中央部に孔６３が設けられている。この孔６３は、チューブ６２の内管に繋がっている。そして、孔６３の内径は、シリンジ５のルアー部５１の最大外径φＤ1よりは若干小さく設定されており、接続時に孔６３を挿通してシリンジ５のルアー部５１の一部が侵入可能となっている。
【００３０】
上記シリンジ５と延長チューブ６とを接続する場合には、シリンジ５のルアー部５１（図２を参照。）の近傍に取り付けられたコネクタ１を延長チューブ６に向けて前進させ（矢印Ｅ）、コネクタ１と延長チューブ６のポート６１とが接触した時点からコネクタ１を矢印Ｃの方に回転させる。これにより、コネクタ本体１０に設けられた雄ネジ１１ａ（図１、２を参照。）と延長チューブ６のポート６１における雌ネジ６１ａとが螺合してゆく。このとき、シリンジ５のルアー部５１は、延長チューブ６における孔６３に挿入されて行く。ルアー部５１の外周面と孔６３の縁との隙間がなくなるまで、螺合させてゆく。
【００３１】
以上のようにして、ルアーロックタイプでのシリンジ５と延長チューブ６との接続が完了する。このようにルアーロックタイプで接続されたシリンジ５と延長チューブ６とは、確実に接続がなされているため、長期にわたっても外れたり、緩んだりするということが起こり難い。
（ルアースリップタイプでのポートとの接続）
シリンジ５を医療器具におけるポートに対してルアースリップタイプで接続する場合について、図４を用いて説明する。図４では、シリンジ５との接続対象として、混注ポート７および注射針８を一例としている。
【００３２】
図４に示すように、ルアースリップタイプでの接続においては、コネクタ１を接続しない状態のシリンジ５を用いる。これについては、最初からコネクタ１が接続されていない状態のものを使用してもよいし、コネクタ１が取り付けられた状態でユーザが入手したものからコネクタ１を取り外したものを使用してもよい。コネクタ１の取り外しについては、上述のように、上記図２で示した手順の逆の操作を行えば、容易に実施できる。
【００３３】
ルアースリップタイプでの接続は、シリンジ５のルアー部５１を相手方の医療器具における受け部分に挿入するだけである。例えば、混注ポート７に対してシリンジ５を接続する場合にあっては、シリンジ５のルアー部５１をカバー体７１にも受けられた弁体（不図示）に挿入してゆくだけで完了する。これにより、シリンジ５の筒内部と混注ポート７の管７２、７３の管内部とが連通することになる。
【００３４】
なお、混注ポート７における弁体は、弾性を有する薄膜状をしており、その一部にルアー部５１を受け入れるためのスリットなどが設けられている。これらについての事項は、すでに公知であるので、ここでの説明を省略する。
次に、シリンジ５に注射針８を接続する場合には、シリンジ５のルアー部５１に対して注射針８の針基８２を挿入して行く。シリンジ５と注射針８とは、ルアー部５１の外周面５１ｆに針基８２の内周面８２ｆが密着した時点で接続される。そして、図示を省略しているが、針管８１は、針基８２の内方にも突設された状態にあるが、上記接続によりその部分がルアー部５１の内孔に挿入される。針基８１とルアー部５１の内孔とは、シリンジ５に注射針８を接続した状態で密に嵌合されている。即ち、シリンジ５を使用する際に、これらの間から薬液が漏れ出したり、あるいは最近などが侵入しないようになっている。
【００３５】
以上、２つの例を示して、ルアースリップタイプでのシリンジ５と他の医療器具との接続について説明したが、図４のシリンジ５はコネクタ１が接続されていないので、迅速にルアースリップタイプでの接続が実施できる。
なお、上記２つの例以外にも、ルアースリップタイプによりシリンジ５との接続を行う医療器具は種々あるが、その操作などについては上記同様である。
（コネクタ１およびコネクタ１が付帯されたシリンジ５の優位性）
上述のように、本発明の実施の形態に係るコネクタ１は、上記図２にも示すように、ロックナット２０の螺合操作だけでシリンジ５に対して着脱が自在となっている。これより、医療の現場において、ユーザは、必要に応じてシリンジ５に対して容易にコネクタ１の着脱を行うことができる。
【００３６】
従って、接続具としてのコネクタ１を付帯したシリンジ５を用いることにより、ユーザは、必要に応じてコネクタ１をシリンジ５に着脱することができることから、脱離したコネクタ１を他のシリンジに転用することもできるので、コスト面でのユーザの負担が軽減され、且つ、優れた作業性をもってシリンジ５を使用することができるとともに、ルアースリップタイプおよびルアーロックタイプの両タイプの接続形態をもってシリンジ５と他の医療器具におけるポートに対して接続することができる。
【００３７】
また、上記図４に示すように、シリンジ５に対して注射針８を接続する場合には、コネクタ１を取り外した状態で作業を行うので、誤穿刺の危険を回避するのにも有効である。
なお、接続具であるコネクタ１は、シリンジ５に対して一対一の関係をもってユーザに供される必要は必ずしもなく、それ単独でユーザに供されてもよい。この場合には、ユーザが必要に応じてシリンジ５に対しコネクタ１の着脱を実施すればよい。よって、医療現場において、治療および診断における処置の段階で、ポートとの接続タイプに応じてコネクタ１を取り付けたり、取り外したりすることができるので、作業の効率化を図ることができ、また、予め用意しておかなければならないシリンジの種類を低減することもできる。
（その他の事項）
上記発明の実施の形態では、ロックナット２０をコネクタ本体１０に対して螺合・移動させることで、はめ込む方式を一例に説明をしたが、本発明は、これに限定を受けるものではない。例えば、ロックナット２０の代わりに内周面にネジ構造を有しないリング体を備え、このリング体をコネクタ本体１０に対してスライドさせることではめ込むようなコネクタでも上記と同様の作用効果を得ることができる。
【００３８】
なお、このようなスライド方式を採用する場合には、はめ込んだ状態でのリング体の戻り防止策を講じておく必要がある。例えば、ピンでリング体を止めるというような方法が必要となる。
また、上記発明の実施の形態では、予め中に薬液が充填された（プレフィルド）シリンジ５を接続対象としたが、シリンジは、プレフィルドタイプ以外のものであっても、上記作用に変わりはない。
【産業上の利用可能性】
【００３９】
本発明に係る接続具付シリンジおよび接続具は、ルアースリップタイプおよびルアーロックタイプの両接続タイプのポートに対応可能であり、コスト面におけるユーザの負担軽減に効果を奏する。
【図面の簡単な説明】
【００４０】
【図１】（ａ）は、本発明の実施の形態に係るコネクタ１の側面図（一部断面図）であり、（ｂ）は、コネクタ１の正面図である。
【図２】（ａ）は、シリンジ５との接続前におけるコネクタ１を示す側面図（一部断面図）であり、（ｂ）は、接続後におけるシリンジ５とコネクタ１とを示す側面図（一部断面図）である。
【図３】接続時におけるコネクタ１と延長チューブ６との関係を示す斜視図である。
【図４】コネクタ１を取り付けず、混注ポート７あるいは注射針８をルアースリップタイプで接続する際の側面図である。
【符号の説明】
【００４１】
１．コネクタ
５．シリンジ
６．延長チューブ
７．混注ポート
８．注射針
１０．コネクタ本体
１３．スリット
２０．ロックナット
５１．ルアー部
【図１】
2005296141.tif 000003
【図２】
2005296141.tif 000004
【図３】
2005296141.tif 000005
【図４】
2005296141.tif 000006